(57)【要約】      （修正有）【課題】介護用ベッドに自在に簡易トイレを設置可能とし、排便・排尿されたものの処理も非常に簡単かつ衛生的な介護用ベッドの提供。【解決手段】ベッドの側辺に隣接し使用者の臀部がほぼ位置する箇所を切り欠いてベッド床面４及びベッドマット５の一部を着脱自在とし、そこに中央に孔を有するベッド床面４ｂ及び便座風ベッドマット５ｂを備え、さらに、切り欠いた箇所の下部には、ベッド接地面からベッド下面までの高さを有し且つ該切り欠いた箇所とほぼ等しい大きさの簡易トイレ７を自在に設置する。簡易トイレ７は、特に限定するものではないが、箱型の枠体Ｇ上面に排便・排尿用孔Ｈを有し、該枠体Ｇ内部に排便・排尿通路Ｉ並びに排便・排尿タンクＪを備えた簡単な構造のものであればよい。尚、全方位式キャスター８を備えることが望ましい。【選択図】図３
2006320624.tif 000002
【特許請求の範囲】
【請求項１】
ベッド本体における側辺に隣接し使用者の臀部がほぼ位置する箇所を切り欠いてベッド床面及びベッドマットの一部を着脱自在とし、その着脱自在のベッド床面及びベッドマットをベッド本体から取外した際に、代わって取付けられる中央に孔を備えたベッド床面及び便座風ベッドマットを備え、また、切り欠いた箇所の下部には、ベッド接地面からベッド下面までの高さを有し且つ該切り欠いた箇所とほぼ等しい大きさの簡易トイレをベッド外部から自在に設置可能としたことを特徴とする介護用ベッド。
【請求項２】
前記介護用ベッドにおいて、ベッド床面における背部が上方９０度まで無段階調整可能な可変型ベッドであることを特徴とする請求項１に記載の介護用ベッド。
【請求項３】
前記介護用ベッドにおいて、ベッド床面における脚部が下方９０度まで無段階調整可能な可変型ベッドであることを特徴とする請求項１または請求項２に記載の介護用ベッド。
【請求項４】
前記簡易トイレの下部に全方位式キャスターを備えたことを特徴とする請求項１から請求項３のいずれかに記載の介護用ベッド。
【請求項５】
前記簡易トイレの上部に背もたれを着脱自在に設けたことを特徴とする請求項４に記載の簡易振動発生器具。
【発明の詳細な説明】
【技術分野】
【０００１】
本発明は、病人や老人など介護の必要な者が使用する介護用ベッドに関し、詳しくは、寝ながらにして排便・排尿を可能ならしめるトイレ機能を備えた介護用ベッドに関するものである。
【背景技術】
【０００２】
病人や老人など介護の必要な者が使用するベッドにおいて、その要介護者の排便・排尿並びに座位姿勢の保持が大きな問題となっている。すなわち、従来において、要介護者が排便・排尿をする際には、ベッドの横に準備された簡易トイレまで移動して用を足したり、あるいは、ベッド中央に穴を開けてその下方に備え付けられた簡易便器へ寝ながら直接用を足していた。また、要介護者の座位姿勢を採るべく、従来の介護用ベッドとして背部が上方へ起き上がる形式のものはあったものの、脚部についてはそのままであるため、実際に要介護者の座位姿勢を保持させるためには、ベッドから車椅子へ移動させる必要があった。
【０００３】
しかしながら、かかる従来の手段によると、要介護者にとってベッド横の簡易トイレや車椅子まで移動することすら困難な場合もある。そこで、排便・排尿や座位姿勢保持の度に介護者が補助し、要介護者の身体を簡易トイレあるいは車椅子まで移動させる必要があり、要介護者並びに介護者の双方にとって肉体的負担が大きいものであった。そして、要介護者の事故として一番多く発生するのは、ベッドから車椅子への移動の際に起こる転倒・転落事故並びにその際の骨折事故である。また、排尿・排便において、ベッド中央に穴を開けて簡易便器を備え付ける手段は、ベッド構造が複雑であるとともに排便・排尿されたものの処理が煩雑・不衛生であって、さらには、寝ながら用を足す行為自体が踏ん張りが利かずに上手くできない場合も多かった。
【特許文献１】特開２００１―２７６１４７号公報
【特許文献２】特開平７―１６２６５号公報
【発明の開示】
【発明が解決しようとする課題】
【０００４】
上記問題点に鑑み、本発明は、介護用ベッドに自在に簡易トイレを設置可能とし、かつ、座位姿勢を容易に保持可能とすることで、介護者の補助を減少させて要介護者並びに介護者双方の労力負担の軽減を実現するとともに、排便・排尿されたものの処理も非常に簡単かつ衛生的である介護用ベッドを提供することを目的とする。
【課題を解決するための手段】
【０００５】
前記目的を達成するため、本発明は、ベッド本体における側辺に隣接し使用者の臀部がほぼ位置する箇所を切り欠いてベッド床面及びベッドマットの一部を着脱自在とし、その着脱自在のベッド床面及びベッドマットをベッド本体から取外した際に、代わって取付けられる中央に孔を備えたベッド床面及び便座風ベッドマットを備え、また、切り欠いた箇所の下部には、ベッド接地面からベッド下面までの高さを有し且つ該切り欠いた箇所とほぼ等しい大きさの簡易トイレをベッド外部から自在に設置可能とした構成となっている。
【０００６】
また、本発明は、前記介護用ベッドにおいて、ベッド床面における背部が上方９０度まで無段階調整可能な可変型ベッドである構成を採用することができる。
【０００７】
さらに、本発明は、前記介護用ベッドにおいて、ベッド床面における脚部が下方９０度まで無段階調整可能な可変型ベッドである構成を採用することができる。
【０００８】
またさらに、本発明は、前記簡易トイレの下部に全方位式キャスターを備えた構成を採ることもできる。
【０００９】
そしてまた、本発明は、前記簡易トイレの上部に背もたれを着脱自在に設けた構成とすることもできる。
【発明の効果】
【００１０】
本発明にかかる介護用ベッドによれば、要介護者が介護者の補助を借りずにベッド上で用を足すことが可能となり、排便・排尿に伴う要介護者並びに介護者双方にとっての肉体的負担が軽減されるという優れた効果を奏する。また、かかる介護用ベッドを可変型ベッドとすることで、要介護者の座位姿勢が容易に保持可能であるとともに、排便・排尿の際の踏ん張りが利いて、容易かつ上手に用を足すことが可能となる。
【００１１】
さらに、本発明にかかる介護用ベッドによれば、脚部が下方９０度まで無段階調整可能な可変型ベッドとすることで、要介護者の座位姿勢の保持だけでなく、要介護者がベッドから降りようとする際に、座位姿勢から身体を９０度回転させるだけで、両足を揃えた状態で介護用ベッドから立ち上がる姿勢を作ることが可能であり、要介護者の介護者による車椅子への移動や下肢のリハビリにも優れた効果を奏する。
【００１２】
そしてまた、本発明にかかる介護用ベッドによれば、簡易トイレが自在に設置可能であるため、排便・排尿されたものを非常に簡単かつ衛生的に処理することができるという優れた効果を奏する。そして、かかる簡易トイレの下部に全方位式キャスターを備えることで排便・排尿の処理等のための移動も容易となり、また、簡易トイレの上部に背もたれを着脱自在に設けることで、該簡易トイレを車椅子的に使用することも可能となる効果がある。
【発明を実施するための最良の形態】
【００１３】
本発明にかかる介護用ベッド１は、ベッド上に寝ながらにして要介護者が用を足すことができるとともに、座位姿勢を容易に保持することができ、また、排便・排尿されたものを簡単かつ衛生的に処理することが可能となって、さらには、設置される簡易トイレ７の移動を容易にしたことを最大の特徴とする。以下、本発明にかかる介護用ベッド１の実施形態を図面に基づいて説明する。
【００１４】
図１は、本発明にかかる介護用ベッド１の実施形態を示す斜視図である。該介護用ベッド１は、ベッド本体２における側辺に隣接し使用者（要介護者）の臀部がほぼ位置する箇所を切り欠いて、ベッド床面４ａ及びベッドマット５ａの一部が着脱自在となっている。図２は、かかる着脱自在のベッド床面４ａ及びベッドマット５ａの一部を取外した状態を示している。そして、そのベッド床面４ａ及びベッドマット５ａの一部をベッド本体２から取外した際にできる空間には、中央に孔を備えたベッド床面４ｂ及び便座風ベッドマット５ｂが代替物として取付けられることとなる。図３は、かかる中央に孔を備えたベッド床面４ｂ及び便座風ベッドマット５ｂが取付けられる状態を示している。また、前記ベッド本体２における切り欠いた箇所の下部には、ベッド接地面からベッド下面までの高さを有し且つ該切り欠いた箇所とほぼ等しい大きさの簡易トイレ７がベッド外部から自在に設置可能となっている。かかる簡易トイレ７をベッド外部から設置する状態を、図３に示している。
【００１５】
本発明に使用される介護用ベッド１は、ベッド枠体３やベッド床面４、ベッドマット５等からなる一般的なベッドで足り、特に限定するものではない。ただし、介護という目的上、側辺には落下防止柵６を備えることが望ましい。そして、該落下防止柵６は、後述の簡易トイレ７の車椅子的使用態様を考慮すると、図４に示すように、着脱自在とすることが好ましい。また、ベッド本体２の切り欠かれた箇所に相当するベッド枠体３ａの部分について、同様に後述の簡易トイレ７の車椅子的使用態様を考慮すると、取外し可能あるいは図５に示すようにヒンジ等により回動自在とすることが望ましい。そしてまた、図１並びに図４に示すように、ベッド床面３における背部Ｅは、食事等する場合に有効な上方９０度まで無段階調整可能である可変型ベッドとすることが望ましく、さらには、本発明における座位姿勢の保持並びに排便・排尿という機能上、ベッド床面３における脚部Ｆも、使用者が座位の姿勢を採れるよう下方９０度まで無段階調整可能である可変型ベッドであることが望ましい。
【００１６】
尚、上記介護用ベッド１について、背部Ｅが上方９０度まで無段階調整可能である可変型ベッドとした場合に、図４に示すように、該背部Ｅの側辺に介助バー１０を備える構造が考え得る。一般的に、使用者が急に起きて介護用ベッド１から降りようとする際には、平衡感覚が狂って転倒事故等を起こし易く、また、起立性貧血等で転倒する場合もある。このことは、特に夜間において顕著に現れる。かかる転倒事故等を防止すべく、上記介助バー１０を備えた構造とすることにより、介護用ベッド１の背部Ｅを上方に起こすことで使用者の上半身が上方へ起き上がった状態で介助バー１０に寄りかかるように支えてもらったり、あるいは、使用者が介護用ベッド１から降りて起立した状態で介助バー１０を利用して支えてもらうことで、使用者の平衡感覚や起立性貧血症等が正常に回復するまでの介助的機能を持たせることができる。尚、かかる介助バー１０の形状については特に限定はなく、図面に示す形状のほか、種々のものが考え得る。また、一般的な落下防止柵６はベッド本体２と一体ではなく、介護用ベッド１から使用者が降りる際に該落下防止柵６を握った場合にぐらつき不安定で危険性があるため、かかる介助バー１０の取付構造については、該落下防止柵６とは違ってベッド本体２と一体となるように固定されることが望ましい。
【００１７】
ベッド本体２は、その側辺に隣接し使用者の臀部がほぼ位置する箇所が切り欠かれている。そして、該切り欠かれた箇所のベッド床面４ａ及びベッドマット５ａの一部が、着脱自在となっている。かかる着脱自在のベッド床面４ａ及びベッドマット５ａについては、それぞれ別体としてそれぞれに着脱自在とすることも可能であるが、着脱の利便性を考慮すると、該ベッド床面４ａ及びベッドマット５ａを一体型構造とすることが好ましい。
【００１８】
上記の通り構成された介護用ベッド１において、着脱自在のベッド床面４ａ及びベッドマット５ａをベッド本体２から取外した際、その箇所には中央に孔を備えたベッド床面４ｂ及び便座風ベッドマット５ｂが代替物として取付けられることとなる。かかるベッド床面４ｂ中央に備えられる孔の大きさ・形状について特に限定はないが、排便・排尿時の便座として機能する関係上、小さすぎないある程度の大きさを有することとなる。また、便座風ベッドマット５ｂについては、文字通り直接使用者の臀部に当接し便座として機能することとなる。
【００１９】
前記ベッド本体２における切り欠いた箇所の下部には、簡易トイレ７が設置されることとなる。かかる簡易トイレ７は、ベッド接地面からベッド下面までの高さを有し、かつ、該切り欠いた箇所とほぼ等しい大きさとなっており、ベッド本体２の前後左右あるいは上方といったベッド外部から自在に設置可能となっている。かかる簡易トイレ７の構造については、特に限定するものではないが、箱型の枠体Ｇ上面に排便・排尿用孔Ｈを有し、該枠体Ｇ内部に排便・排尿通路Ｉ並びに排便・排尿タンクＪを備えた簡単な構造のものであればよい。尚、該簡易トイレ７の下部には、図面に示すように、全方位式キャスター８を備えることが望ましい。かかる構成とすることにより、排尿・排便されたものを処理する際に、簡易トイレ７の移動を容易に行うことができ、また、後述の車椅子的使用態様が可能となる。また、かかる車椅子的使用態様において、図６に示すように使用者の足載せ台Ｋを設けることが好ましい。
【００２０】
また、前記簡易トイレ７には、その上部に背もたれ９を着脱自在に設けることも可能である。図５は、かかる簡易トイレ７の上部に背もたれ９を取付ける状態を示している。かかる構成とすることにより、図６に示すように、簡易トイレ７を簡単なトイレ付車椅子Ｌの態様として使用することが可能となる。尚、簡易トイレ７上部への背もたれの取付け構造について、図面では簡易トイレ７上部に設けた差込孔７ａに背もたれ９を差込み取付ける構造を示しているが、特にかかる構造に限定するものではない。また、図面では、構造として背もたれ９だけでなく肘掛をも一体に設けたものについて示している。
【００２１】
以上の通り構成された介護用ベッド１について、以下、使用者が簡易トイレ７を使用する際の実施態様について説明する。あらかじめ、介護者がベッド本体２の切り欠かれた箇所にあるベッド床面４ａ及びベッドマット５ａを取外し、中央に孔を備えたベッド床面４ｂ及び便座風ベッドマット５ｂからなる代替物を取付ける。次いで、簡易トイレ７を切り欠かれた箇所の下部に設置することで、排便・排尿可能状態となる。使用者は、自ら自身の臀部を便座風ベッドマット５ｂ上に移動させるだけで、簡単に用を足すことができる。このとき、介護用ベッド１が可変型ベッドであれば、背部Ｅを上方へ調整し、また、脚部Ｆを下方へ調整することにより、介護用ベッド１は図４に示すような状態となって、使用者は座位姿勢を採って用を足すことが可能となる。
【００２２】
以下、使用者が簡易トイレ７をトイレ付車椅子Ｌとして使用する際の実施態様について説明する。まず、上記と同様にして、中央に孔を備えたベッド床面４ｂ及び便座風ベッドマット５ｂからなる代替物を取付け、及び、簡易トイレ７を設置する。次いで使用者は、自身の臀部を便座風ベッドマット５ｂ上に移動させ、その上で座位姿勢を採る。その後、簡易トイレ上部に背もたれ９を取付け、また、落下防止柵６が備えられている場合には、該落下防止柵６を取外す。そして、ベッド本体２の切り欠かれた箇所に相当するベッド枠体３ａの部分を取外しあるいは回動により取り除いて、ベッド本体２から使用者が乗った状態で簡易トイレ７をベッド側方へスライドさせ、トイレ付車椅子Ｌとしての使用態様となる。尚、介護用ベッド１が可変型ベッドであれば、使用者が座位姿勢を採り易くなることは上記同様である。かかる簡易トイレ７の車椅子的使用態様によれば、使用者がベッドから車椅子へあるいは車椅子からベッドへ移動する際に伴う肉体的負担が軽減されるとともに、使用者の転倒・転落事故等を効果的に防止することができる。
【図面の簡単な説明】
【００２３】
【図１】本発明にかかる介護用ベッドの実施形態を示す斜視図である。
【図２】本発明にかかる介護用ベッドの切り欠き箇所を示す斜視図である。
【図３】本発明にかかる介護用ベッドの切り欠き箇所並びに簡易トイレを示す斜視図である。
【図４】本発明にかかる介護用ベッドの使用態様を示す斜視図である。
【図５】本発明にかかる介護用ベッドにおける簡易トイレの背もたれの構造を示す斜視図である。
【図６】本発明にかかる介護用ベッドにおける簡易トイレの車椅子的使用態様を示す斜視図である。
【符号の説明】
【００２４】
１    介護用ベッド
２    ベッド本体
３    ベッド枠体
３ａ  ベッド枠体
４    ベッド床面
４ａ  ベッド床面
４ｂ  ベッド床面
５    ベッドマット
５ａ  ベッドマット
５ｂ  便座風ベッドマット
６    落下防止柵
７    簡易トイレ
７ａ  差込孔
８    全方位式キャスター
９    背もたれ
１０    介助バー
Ｅ    背部
Ｆ    脚部
Ｇ    枠体
Ｈ    排便・排尿用孔
Ｉ    排便・排尿通路
Ｊ    排便・排尿タンク
Ｋ    足載せ台
Ｌ    トイレ付車椅子
【図１】
2006320624.tif 000003
【図２】
2006320624.tif 000004
【図３】
2006320624.tif 000005
【図４】
2006320624.tif 000006
【図５】
2006320624.tif 000007
【図６】
2006320624.tif 000008
【手続補正書】
【提出日】平成17年5月20日(2005.5.20)
【手続補正１】
【補正対象書類名】特許請求の範囲
【補正対象項目名】請求項５
【補正方法】変更
【補正の内容】
【請求項５】
前記簡易トイレの上部に背もたれを着脱自在に設けたことを特徴とする請求項４に記載の介護用ベッド。